(57)【特許請求の範囲】
【請求項１】
複数のチャンネルの音声信号の状態を各々制御する複数のパラメータからなる動作データを記憶する記憶手段と、
前記動作データに基づいてミキシング処理を行う信号処理手段と、
ディスプレイと、
複数のパネルセクションにて構成される操作パネルであって、前記各パネルセクションには、前記複数のチャンネルの少なくとも一部を成すチャンネルの各々に対し、各々に一または複数の操作子を具備して成る複数のチャンネルストリップが設けられたものと、
前記各チャンネルストリップを模擬した複数のチャンネルストリップ模擬画像を、前記各パネルセクションおよび各チャンネルストリップの配置関係に対応する配置関係で配列したパネル模擬部を前記ディスプレイに表示させる表示制御手段と、
前記複数のチャンネルストリップのうち何れかに対する操作を検出すると、操作されたチャンネルストリップに対応するチャンネルの所定のパラメータの値を設定するパラメータ設定手段と、
前記各チャンネルストリップ模擬画像を、対応する前記各チャンネルの前記所定のパラメータの値に応じた表示態様で表示する表示態様設定手段と
を具備することを特徴とするデジタルミキサ。
【請求項２】
前記チャンネルストリップは、何れかの前記チャンネルが固定的に割り当てられた固定チャンネルストリップと、何れかの前記チャンネルのうち選択されたものが割り当てられる切替チャンネルストリップとから成り、
前記複数のチャンネルは、前記固定チャンネルストリップに固定的に割り当てられた第１群のチャンネルと、前記切替チャンネルストリップに対してのみレイヤ単位で選択的に割り当てられる第２群のチャンネルとから成り、
前記パネルセクションは、前記固定チャンネルストリップが設けられた第１種のパネルセクションと、前記切替チャンネルストリップが設けられた第２種のパネルセクションとから成り、
前記パネル模擬部は、前記第１群のチャンネルに対応する複数のチャンネルストリップ模擬画像を、前記操作パネルにおける前記第１種のパネルセクションおよび対応する各固定チャンネルストリップの配置関係にて配列するとともに、前記第２群のチャンネルに対応する複数のチャンネルストリップ模擬画像を、前記操作パネルにおける第２種のパネルセクションに対応する位置に前記レイヤ単位で縦方向に配列してなる
ことを特徴とする請求項１記載のデジタルミキサ。
【請求項３】
前記各チャンネルストリップは、当該操作子単独の操作によって当該チャンネルの音声信号に影響を与える直接制御操作子と、当該操作子単独の操作によっては該音声信号に影響を与えない間接制御操作子とを各々が有するものであり、
前記パラメータ設定手段は、前記間接制御操作子の操作状態に基づいて前記所定のパラメータの値を設定するものであり、
所定の動作モードのオン／オフ状態を選択する動作モード選択手段と
をさらに具備し、
前記パラメータ設定手段は、前記動作モードがオン状態であることを条件として、前記間接制御操作子の操作状態に基づいて前記所定のパラメータの値を設定するものである
ことを特徴とする請求項１または２記載のデジタルミキサ。
【請求項４】
前記各チャンネルストリップは、当該操作子単独の操作によって当該チャンネルの音声信号に影響を与える直接制御操作子と、当該操作子単独の操作によっては該音声信号に影響を与えない間接制御操作子とを各々が有するものであり、
前記パラメータ設定手段は、前記間接制御操作子の操作状態に基づいて前記所定のパラメータの値を設定するものであり、
所定の動作モードのオン／オフ状態を選択する動作モード選択手段と、
前記所定の動作モードがオフ状態であることを条件として、前記間接制御操作子の操作状態に基づいて、前記所定のパラメータに関連する他のパラメータの値の設定を可能ならしめるチャンネルを選択するチャンネル選択手段と
をさらに具備したことを特徴とする請求項１または２記載のデジタルミキサ。
【請求項５】
前記表示制御手段は、前記パネル模擬部とともに、指定されたパラメータを前記所定のパラメータとして表示するパラメータ表示部を前記ディスプレイに表示させるものであり、
前記パラメータ設定手段によって設定されたパラメータの値を前記各間接制御操作子の外観状態に反映させる操作子表示制御手段
をさらに具備することを特徴とする請求項３または４に記載のデジタルミキサ。
【請求項６】
複数のチャンネルの音声信号の状態を各々制御する複数のパラメータからなる動作データを記憶する記憶手段と、前記動作データに基づいてミキシング処理を行う信号処理手段と、ディスプレイと、複数のパネルセクションにて構成される操作パネルであって、前記各パネルセクションには、前記複数のチャンネルの少なくとも一部を成すチャンネルの各々に対し、各々に一または複数の操作子を具備して成る複数のチャンネルストリップが設けられたものと、前記記憶手段と前記信号処理手段と前記ディスプレイと前記チャンネルストリップとを制御する処理装置とを有するデジタルミキサに適用されるプログラムであって、
前記各チャンネルストリップを模擬した複数のチャンネルストリップ模擬画像を、前記各パネルセクションおよび各チャンネルストリップの配置関係に対応する配置関係で配列したパネル模擬部を前記ディスプレイに表示させる表示制御過程と、
前記複数のチャンネルストリップのうち何れかに対する操作を検出すると、操作されたチャンネルストリップに対応するチャンネルの所定のパラメータの値を設定するパラメータ設定過程と、
前記各チャンネルストリップ模擬画像を、対応する前記各チャンネルの前記パラメータの値に応じた表示態様で表示する表示態様設定過程と
を前記処理装置に実行させることを特徴とするプログラム。
【発明の詳細な説明】
【技術分野】
【０００１】
本発明は、音楽コンテンツのレコーディングやコンサートにおける音声信号の調整等に使用されるデジタルミキサおよびプログラムに関する。
【背景技術】
【０００２】
近年のデジタルミキサにおいては、デジタル技術の発展に伴って多数の入出力チャンネルの音声信号を処理することができ、各入出力チャンネルにおいて設定できるパラメータの種類も多岐に亘っている。このため、これら全てのパラメータを設定するための個別の操作子やディスプレイを全て操作パネル上に配置すると、操作パネルの面積が膨大になるため非現実的である。そこで、多目的のディスプレイを操作パネル上に設け、このディスプレイ上に表示される設定画面を切り換えることによって多種多様なパラメータを設定／表示することが一般的である。また、各入出力チャンネルに対しては、「チャンネルストリップ」という操作子や表示器の集合体が割り当てられる。一のチャンネルストリップの面積は狭い場合が多いため、ここには変更される頻度の特に高いパラメータを設定するための操作子等が配置される。例えば、当該チャンネルのオン／オフ状態を指定するオン／オフキー、当該チャンネルを上記ディスプレイ等において詳細なパラメータを設定するチャンネル（選択チャンネル）として指定するＳＥＬキー、当該チャンネルのゲインを増減するフェーダなどが、該チャンネルストリップに配置されることになる。
【０００３】
ここで、デジタルミキサに対して現在適用されているパラメータの集合を「カレントデータ」という。「カレントデータ」はメモリの所定領域に「シーンデータ」としてストアすることができ、また、既存のシーンデータをリコールしてカレントデータに上書きすることができる。これにより、例えば舞台転換などの際に、ワンタッチで多数のパラメータを切り替えることが可能になる。ここで、シーンリコールを実行するに際し、カレントデータの全てをシーンデータによって上書きするのではなく、チャンネル毎に、かつ、パラメータの種類毎に、上書きの対象から外すパラメータを指定する技術が知られている。この技術を「リコールセーフ機能」といい、例えば特許文献１等に開示されている。このリコールセーフ機能に係るパラメータも、変更頻度の低いパラメータであるため、特許文献１にあっては、リコールセーフ機能を設定するための操作子はチャンネルストリップには設けられておらず、かかるパラメータの内容は、上述した多目的のディスプレイにおいて設定されることになる。
【０００４】
【特許文献１】特開２００５−０４５４２５号公報
【発明の開示】
【発明が解決しようとする課題】
【０００５】
上述したように、変更頻度の低いパラメータを設定するために多目的のディスプレイ等を使用することは止むを得ないことであるが、従来のデジタルミキサにおいては、ディスプレイの設定画面における表示内容と、チャンネルストリップの状態とが全く関係しないため、両者の対応関係が直感的に解り辛いという問題が生じる。
この発明は上述した事情に鑑みてなされたものであり、設定画面における設定内容とチャンネルストリップとの関係を直感的に把握することができ、高い操作性を実現できるデジタルミキサおよびプログラムを提供することを目的としている。
【課題を解決するための手段】
【０００６】
上記課題を解決するため本発明にあっては、下記構成を具備することを特徴とする。なお、括弧内は例示である。
請求項１記載のデジタルミキサにあっては、複数のチャンネルの音声信号の状態を各々制御する複数のパラメータからなる動作データを記憶する記憶手段（２２）と、前記動作データに基づいてミキシング処理を行う信号処理手段（８）と、ディスプレイ（２）と、複数のパネルセクション（３０ａ，３０ｂ，３０ｃ）にて構成される操作パネル（３０）であって、前記各パネルセクションには、前記複数のチャンネルの少なくとも一部を成すチャンネル（入力チャンネル，ステレオ出力チャンネル）の各々に対し、各々に一または複数の操作子を具備して成る複数のチャンネルストリップが設けられたものと、前記各チャンネルストリップを模擬した複数のチャンネルストリップ模擬画像（２２０，３２０）を、前記各パネルセクション（３０ａ，３０ｂ，３０ｃ）および各チャンネルストリップの配置関係に対応する配置関係で配列したパネル模擬部（２１１〜２１９）を前記ディスプレイ（２）に表示させる表示制御手段（１８）と、前記複数のチャンネルストリップのうち何れかに対する操作を検出すると、操作されたチャンネルストリップに対応するチャンネルの所定のパラメータ（リコールセーフ・フラグＳＥＦ（ｉ））の値を設定するパラメータ設定手段（ＳＰ１０，ＳＰ７２）と、前記各チャンネルストリップ模擬画像を、対応する前記各チャンネルの前記所定のパラメータの値に応じた表示態様で表示する表示態様設定手段（ＳＰ１４，ＳＰ７６）とを具備することを特徴とする。
さらに、請求項２記載の構成にあっては、請求項１記載のデジタルミキサにおいて、前記チャンネルストリップは、何れかの前記チャンネルが固定的に割り当てられた固定チャンネルストリップ（３１〜３７）と、何れかの前記チャンネルのうち選択されたものが割り当てられる切替チャンネルストリップ（４２）とから成り、前記複数のチャンネルは、前記固定チャンネルストリップ（３１〜３７）に固定的に割り当てられた第１群のチャンネル（入力チャンネル，ステレオ出力チャンネル）と、前記切替チャンネルストリップ（４２）に対してのみレイヤ（グループ）単位で選択的に割り当てられる第２群のチャンネル（ＭＩＸ出力チャンネル）とから成り、前記パネルセクションは、前記固定チャンネルストリップ（３１〜３７）が設けられた第１種のパネルセクション（３０ａ，３０ｃ）と、前記切替チャンネルストリップ（４２）が設けられた第２種のパネルセクション（３０ｂ）とから成り、前記パネル模擬部（２１１〜２１９）は、前記第１群のチャンネルに対応する複数のチャンネルストリップ模擬画像（２２０，３２０）を、前記操作パネル（３０）における前記第１種のパネルセクション（３０ａ，３０ｃ）および対応する各固定チャンネルストリップ（３１〜３７）の配置関係にて配列するとともに、前記第２群のチャンネル（ＭＩＸ出力チャンネル）に対応する複数のチャンネルストリップ模擬画像（２２０，３２０）を、前記操作パネル（３０）における第２種のパネルセクション（３０ｂ）に対応する位置に前記レイヤ（グループ）単位で縦方向に配列してなることを特徴とする。
さらに、請求項３記載の構成にあっては、請求項１または２記載のデジタルミキサにおいて、前記各チャンネルストリップは、当該操作子単独の操作によって当該チャンネルの音声信号に影響を与える直接制御操作子（オン／オフキー、電動フェーダ）と、当該操作子単独の操作によっては該音声信号に影響を与えない間接制御操作子（ＳＥＬキー）とを各々が有するものであり、前記パラメータ設定手段（ＳＰ１０，ＳＰ７２）は、前記間接制御操作子（ＳＥＬキー）の操作状態に基づいて前記所定のパラメータ（リコールセーフ・フラグＳＥＦ（ｉ））の値を設定するものであり、所定の動作モード（SET_BY_SELモード）のオン／オフ状態を選択する動作モード選択手段（SET_BY_SELボタン２３０）とをさらに具備し、前記パラメータ設定手段（ＳＰ１０，ＳＰ７２）は、前記動作モードがオン状態（SET_BY_SELモード）であることを条件として、前記間接制御操作子（ＳＥＬキー）の操作状態に基づいて前記所定のパラメータ（リコールセーフ・フラグＳＥＦ（ｉ））の値を設定するものであることを特徴とする。
さらに、請求項４記載の構成にあっては、請求項１または２記載のデジタルミキサにおいて、前記各チャンネルストリップは、当該操作子単独の操作によって当該チャンネルの音声信号に影響を与える直接制御操作子（オン／オフキー、電動フェーダ）と、当該操作子単独の操作によっては該音声信号に影響を与えない間接制御操作子（ＳＥＬキー）とを各々が有するものであり、前記パラメータ設定手段（ＳＰ１０，ＳＰ７２）は、前記間接制御操作子（ＳＥＬキー）の操作状態に基づいて前記所定のパラメータ（リコールセーフ・フラグＳＥＦ（ｉ））の値を設定するものであり、所定の動作モード（SET_BY_SELモード）のオン／オフ状態を選択する動作モード選択手段（SET_BY_SELボタン２３０）と、前記所定の動作モード（SET_BY_SELモード）がオフ状態であることを条件として、前記間接制御操作子（ＳＥＬキー）の操作状態に基づいて、前記所定のパラメータ（リコールセーフ・フラグＳＥＦ（ｉ））に関連する他のパラメータ（パラメータセーフ・フラグＳＰＦ（ｉ，ｊ））の値の設定を可能ならしめるチャンネルを選択するチャンネル選択手段とをさらに具備したことを特徴とする。
さらに、請求項５記載の構成にあっては、請求項３または４に記載のデジタルミキサにおいて、前記表示制御手段（１８）は、前記パネル模擬部（２１１〜２１９）とともに、指定されたパラメータを前記所定のパラメータとして表示するパラメータ表示部（２３２，２４１〜２４９，３４１〜３４９）を前記ディスプレイ（２）に表示させるものであり、前記パラメータ設定手段（ＳＰ１０，ＳＰ７２）によって設定されたパラメータの値を前記各間接制御操作子の外観状態（点灯・消灯状態）に反映させる操作子表示制御手段（ＳＰ１１，ＳＰ７４）をさらに具備することを特徴とする。
また、請求項６記載のプログラムにあっては、複数のチャンネルの音声信号の状態を各々制御する複数のパラメータからなる動作データを記憶する記憶手段（２２）と、前記動作データに基づいてミキシング処理を行う信号処理手段（８）と、ディスプレイ（２）と、複数のパネルセクション（３０ａ，３０ｂ，３０ｃ）にて構成される操作パネル（３０）であって、前記各パネルセクションには、前記複数のチャンネルの少なくとも一部を成すチャンネル（入力チャンネル，ステレオ出力チャンネル）の各々に対し、各々に一または複数の操作子を具備して成る複数のチャンネルストリップが設けられたものと、前記記憶手段（２２）と前記信号処理手段（８）と前記ディスプレイ（２）と前記チャンネルストリップとを制御する処理装置（１８）とを有するデジタルミキサに適用されるプログラムであって、前記各チャンネルストリップを模擬した複数のチャンネルストリップ模擬画像（２２０，３２０）を、前記各パネルセクション（３０ａ，３０ｂ，３０ｃ）および各チャンネルストリップの配置関係に対応する配置関係で配列したパネル模擬部（２１１〜２１９）を前記ディスプレイ（２）に表示させる表示制御過程と、前記複数のチャンネルストリップのうち何れかに対する操作を検出すると、操作されたチャンネルストリップに対応するチャンネルの所定のパラメータ（リコールセーフ・フラグＳＥＦ（ｉ））の値を設定するパラメータ設定過程（ＳＰ１０，ＳＰ７２）と、前記各チャンネルストリップ模擬画像を、対応する前記各チャンネルの前記パラメータの値に応じた表示態様で表示する表示態様設定過程（ＳＰ１４，ＳＰ７６）とを前記処理装置（１８）に実行させることを特徴とする。
【発明の効果】
【０００７】
このように、本発明によれば、各チャンネルストリップを模擬した複数のチャンネルストリップ模擬画像を、各チャンネルストリップの配置関係に対応する配置関係で配列したパネル模擬部をディスプレイに表示し、あるいは、間接制御操作子の操作状態に基づいて指定されたパラメータの値を設定するとともに設定されたパラメータの値を各間接制御操作子の外観状態に反映させるから、ユーザは設定画面における設定内容とチャンネルストリップとの関係を直感的に把握することができ、高い操作性を実現できる。
【発明を実施するための最良の形態】
【０００８】
1．実施例のハードウエア構成
1．1．全体構成
次に、本発明の一実施例のデジタルミキサの構成を図１を参照し説明する。
図１において２はタッチパネルであり、バスライン１２を介して供給された表示情報に基づいてユーザに各種画面を表示するディスプレイと、このディスプレイの表面に貼付され、ユーザの指で押下されると、その旨および押下位置を検出するタッチスクリーンとから構成されている。タッチパネル２内のディスプレイは、例えば「１０２４×７６８」程度の解像度を有するフラットパネルディスプレイによって構成されている。４は表示器・操作子群であり、後述する操作パネル３０上の各部に配置される各種のノブ、スイッチおよびＬＥＤキーから構成されている。ＬＥＤキーに内蔵されたＬＥＤの点滅状態はバスライン１２を介して設定される。また、ノブ、スイッチおよびＬＥＤキー等の操作状態はバスライン１２を介して出力される。
【０００９】
６は電動フェーダ群であり、操作者の操作に基づいて各入出力チャンネルの信号レベルを調節する。さらに、電動フェーダ群６は、バスライン１２を介して操作コマンドが供給されると、その操作位置が自動設定されるように構成されている。１０は波形Ｉ／Ｏ部であり、アナログ音声信号またはデジタル音声信号を入出力する。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部１０においては、アナログ信号とデジタル信号間の変換、複数種類のデジタル信号相互間の変換等の処理が行われる。次に、８は信号処理部であり、一群のＤＳＰ（デジタル・シグナル・プロセッサ）によって構成されている。信号処理部８は、波形Ｉ／Ｏ部１０を介して供給されたデジタル音声信号に対してミキシング処理や効果処理を施し、その結果を波形Ｉ／Ｏ部１０に出力する。
【００１０】
１４はコンピュータＩ／Ｏ部であり、外部のコンピュータとの間で各種制御情報を入出力する。１６はその他Ｉ／Ｏ部であり、レコーダ等、各種の外部機器との間でタイムコードその他の情報を入出力する。１８はＣＰＵであり、後述する制御プログラムに基づいて、バスライン１２を介して各部を制御する。２０はフラッシュメモリであり、その内部のプログラム領域には上記制御プログラムが記憶されている。２２はＲＡＭであり、ＣＰＵ１８のワークメモリとして使用される。
【００１１】
本実施例のデジタルミキサにおいては、現在の動作を制御する各種パラメータ（カレントデータ）がＲＡＭ２２の所定領域（カレント領域）に記憶されている。すなわち、ユーザが表示器・操作子群４、電動フェーダ群６を操作することによりカレントデータの内容が更新され、また、該カレントデータに基づいて信号処理部１０におけるミキシング処理や効果処理、タッチパネル２における表示状態、表示器・操作子群４内のＬＥＤの点滅状態、電動フェーダ群６の各フェーダの位置などが制御される。このカレントデータは、ＲＡＭ２２の所定領域（シーン領域）に対してシーンデータとして随時ストアすることができ、またシーン領域に記憶されたシーンデータをカレント領域に随時リコールすることができる。
【００１２】
1．2．ミキシングアルゴリズム構成
次に、信号処理部８等において実現されるアルゴリズムの内容を図２を参照し説明する。なお、当該アルゴリズムは信号処理部８に設定されるプログラムによって実現されるものであり、該プログラムは、ＣＰＵ１８の制御の下、フラッシュメモリ２０等から信号処理部８にロードされる。図２において５１はアナログ入力部であり、マイクレベルまたはラインレベルのアナログ音声信号を受信すると、これをデジタル音声信号に変換し、信号処理部８に供給する。５２はデジタル入力部であり、デジタル音声信号を受信すると、これを信号処理部８内部のフォーマットに変換する。６６はアナログ出力部であり、信号処理部８から供給されたデジタル音声信号をアナログ音声信号に変換し外部に出力する。６８はデジタル出力部であり、信号処理部８から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１３】
以上述べた構成は、信号処理部８とは別体のハードウエアである波形Ｉ／Ｏ部１０およびここに介挿される各種カードにより実現されているが、上記以外の構成は信号処理部８において動作するプログラムによって実現されている。５５は入力チャンネル調整部であり、操作パネル３０上の電動フェーダおよびノブ等の操作子の操作に基づいて、「４８」チャンネルの入力チャンネルに対して音量・音質等の調整を行う。５４は入力パッチ部であり、入力部５１，５２等の複数の入力ポートから供給されたデジタル音声信号を、入力チャンネル調整部５５内の任意の入力チャンネルに割り当てる。
【００１４】
５８はＭＩＸバス群であり、「１６」系統のＭＩＸバスから構成されている。各ＭＩＸバスにおいては、各入力チャンネルのデジタル音声信号のうち当該ＭＩＸバスに供給されたものがミキシングされる。各入力チャンネルにおいては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。５６はステレオ出力バスであり、「１」系統のステレオ出力バス５６から構成されている。ステレオ出力バス５６の構成は上記ＭＩＸバスと同様であるが、「１」系統のステレオの音声信号は左右「２」系統の音声信号から構成されている。６０はステレオ出力チャンネル部であり、該ステレオ出力バス５６におけるミキシング結果のレベル調節および音質調節を行なう。６２はＭＩＸ出力チャンネル部であり、上記各ＭＩＸバスにおけるミキシング結果のレベル調節および音質調節を行なう。６４は出力パッチ部であり、ステレオ出力チャンネル部６０およびＭＩＸ出力チャンネル部６２の出力信号を、各出力部６６，６８の任意のポートに割り当てる。
【００１５】
次に、入力チャンネル調整部５５におけるアルゴリズム構成の詳細を図３を参照し説明する。図３において５５−ｉは第ｉ入力チャンネル調整部であり、第ｉ入力チャンネル（１≦ｉ≦４８）における音質・音量調整を行う。その内部において７１はアッテネータ部であり、入力された音声信号を減衰させる。７２はイコライザ部であり、「４」バンドのパラメトリックイコライザ等により、音声信号の周波数特性を調節する。７３，７４は第１および第２ダイナミックス調整部であり、該音声信号に対して、コンプレッサ処理、ゲート処理等を行う。７５は音量調整部であり、第ｉ入力チャンネルの音声信号のゲインを調節する。７６はオンオフ切換部であり、第ｉ入力チャンネル全体のオン／オフ状態を切り換える。７７はステレオセンドオンオフ切換部であり、第ｉ入力チャンネルの音声信号をステレオ出力バス５６に供給するか否かを切り換える。７８はＰＡＮ設定部であり、該音声信号をステレオ出力バス５６に供給する際の左右の音量バランスを設定する。
【００１６】
８０−１〜８０−１６は信号切換部であり、第ｉ入力チャンネルから「１６」系統のＭＩＸバスに各々出力され得る音声信号をフェードモードに応じて切り換える。すなわち、フェードモードが「プリフェード」に設定されると、第２ダイナミックス調整部７４の出力信号が選択され、「ポストフェード」に設定されるとオンオフ切換部７６の出力信号が選択される。８２−１〜８２−１６はセンドレベル調節部であり、各ＭＩＸバスに出力する信号のゲインすなわちセンドレベルを調節する。８４−１〜８４−１６はセンドオンオフ切換部であり、各ＭＩＸバスに対する音声信号供給のオン／オフ状態を設定する。
【００１７】
1．3．パネル構成
1．3．1．パネル全体構成
次に、本実施例のデジタルミキサの操作パネル３０の構成を図４を参照し説明する。この操作パネル３０は、左セクション３０ａと、中央セクション３０ｂと、右セクション３０ｃとから構成されている。左セクション３０ａの内部において３１〜３４は入力チャンネルストリップ部であり、第１〜第３２入力チャンネルのゲイン等を調節するチャンネルストリップが順次「８」チャンネルづつ設けられている。また、右セクション３０ｃの内部において３５，３６は入力チャンネルストリップ部であり、第３３〜第４８入力チャンネルのゲイン等を調節するチャンネルストリップが順次「８」チャンネルづつ設けられている。３７はステレオ出力チャンネルストリップ部であり、ステレオ出力チャンネル部６０の左右のゲイン等を調節する一対のチャンネルストリップから構成されている。
【００１８】
また、中央セクション３０ｂの内部においてほぼ中央部には、上述したタッチパネル２が設けられている。３８はレベルメータ部であり、各部の音声信号レベルを表示する複数のレベルメータから構成されている。４０はパラメータ操作部であり、詳細なパラメータ等を設定するために選択された一の入出力チャンネルである「選択チャンネル」に対して、パラメータ等を調整する複数の操作子等から構成されている。ところで、本実施例のデジタルミキサの入出力チャンネルは、複数の「グループ」に分類されているので、このグループについて説明しておく。まず、入力チャンネル数は「４８」であるが、これらは「８」チャンネルづつの「６」グループに分類されている。また、ＭＩＸ出力チャンネル数は「１６」であるが、これらは「８」チャンネルづつの「２」グループに分類されている。また、ステレオ出力チャンネルは左右一組の「１」チャンネルであるが、これも「１」グループを構成する。すなわち、入出力チャンネルは全体で「９」グループから構成されている。
【００１９】
４６はグループ選択部であり、上記グループの何れかを選択する複数のスイッチによって構成されている。４２は割当チャンネルストリップ部であり、グループ選択操作部４６によって選択されたグループに属するチャンネルのゲイン等を調節するものである。また、タッチパネル２においては、選択されたグループに属するチャンネルについて、詳細な状態が表示される。４４はシーン操作部であり、シーン番号の設定、シーンのストア、リコール等の操作を行うスイッチ等によって構成されている。
【００２０】
４７，４８はブックマークスイッチであり、タッチパネル２に現在表示されている画面をブックマーク登録し、あるいは既にブックマーク登録された画面を呼び出すものである。本実施例では「２」個のブックマークスイッチ４７，４８が設けられているため、ブックマークは最大「２」個まで設定することができる。４９はミュート操作部であり、「８」のミュートグループに対応する「８」個のミュートボタンがその内部に配列されている。各ミュートグループには予め一または複数の入出力チャンネルが割り当てられており、ミュートボタンのうち何れかが押下されると、対応するミュートグループに属する入出力チャンネルの音量が連動して無音状態に設定され、該入出力チャンネルに係るフェーダが操作パネル３０上に存在するときは、そのフェーダの操作位置も無音位置まで駆動される。
【００２１】
1．3．2．シーン操作部４４の詳細構成
次に、操作パネル３０上における要部の詳細構成について説明する。まず、図５(a)を参照しシーン操作部４４の詳細構成を説明する。図５(a)において４４−５はシーン番号表示部であり、ストア／リコールの対象となるシーン番号を表示する。４４−２，３はアップダウンボタンであり、該シーン番号をインクリメント／デクリメントする。４４−１はストアボタンであり、シーン番号表示部４４−５に表示されている番号のシーンデータとして、カレントデータの内容をストアする。また、４４−４はリコールボタンであり、シーン番号表示部４４−５に表示されている番号のシーンデータをリコールし、カレントデータとして反映させる。
【００２２】
1．3．3．グループ選択操作部４６の詳細構成
次に、図５(b)を参照しグループ選択操作部４６の詳細構成を説明する。図５(b)において４６−１〜４６−６は入力チャンネル選択キーであり、入力チャンネルに係る「６」グループのうち何れかを選択するものである。４６−７，４６−８はＭＩＸ出力チャンネル選択キーであり、ＭＩＸ出力チャンネルに係る「２」グループのうち何れかを選択するものである。４６−９はステレオ出力チャンネル選択キーであり、ステレオ出力チャンネルのグループを選択するものである。ここで、入力チャンネル選択キー４６−１〜４６−６に対応するグループは、各々図４における入力チャンネルストリップ部３１〜３６に対応するグループである。そして、操作パネル３０上におけるこれら入力チャンネルストリップ部３１〜３６の物理的な位置関係と、同一の位置関係で入力チャンネル選択キー４６−１〜４６−６が配列されていることが解る。
【００２３】
ステレオ出力チャンネル選択キー４６−９も同様であり、図４においてステレオ出力チャンネルストリップ部３７は入力チャンネルストリップ部３５の左側に設けられているから、対応するステレオ出力チャンネル選択キー４６−９も入力チャンネル選択キー４６−５の左側に設けられている。一方、ＭＩＸ出力チャンネルに係るグループについては、操作パネル３０上には専用のチャンネルストリップ部は設けられていない。そこで、これらＭＩＸ出力チャンネルのグループについては、グループ選択操作部４６のほぼ中央部分に集中して、対応するＭＩＸ出力チャンネル選択キー４６−７，４６−８が設けられている。なお、グループ選択操作部４６内の各要素の符号は「４６−ｇ」（ｇは１〜９自然数）の形式で表されている。この値「ｇ」は、各グループの識別番号として後述する処理において用いられる。
【００２４】
1．3．4．割当チャンネルストリップ部４２の詳細構成
次に、図６(a)を参照し、割当チャンネルストリップ部４２の詳細構成を説明する。割当チャンネルストリップ部４２は、同様の構成を有する「８」個のチャンネルストリップを横方向に配列して成るものである。左端のチャンネルストリップ内において５０１はノブであり、アッテネータ部７１における減衰率の設定、センドレベル調節部８２−１〜８２−１６におけるセンドレベルの設定等、種々の目的のために用いられる。このため、ノブ５０１は無限回転型になっている。すなわち、ノブ５０１が操作されると、その操作前後の回転角度に応じて、対応するパラメータの量が設定されることになる。５０２はＳＥＬキーであり、各チャンネルストリップに係るチャンネルを選択チャンネルに設定するために用いられる。５０３はＣＵＥキーであり、該チャンネルの音声信号をモニタするために用いられる。５０４はレベルメータであり、複数のＬＥＤによって構成され該チャンネルの出力レベルを表示する。５０５はオン／オフキーであり、オンオフ切換部７６の状態を制御する。５０６は電動フェーダであり、音量調整部７５におけるゲインを調節する。
【００２５】
1．3．5．入力チャンネルストリップ部３１〜３６の詳細構成
次に、図６(b)を参照し、入力チャンネルストリップ部３１〜３６の詳細構成を説明する。各入力チャンネルストリップ部３１〜３６は、各々、同様の構成を有する「８」個のチャンネルストリップを横方向に配列して成るものである。左端のチャンネルストリップ内において５１２はＳＥＬキー、５１３はＣＵＥキー、５１４はレベルメータ、５１５はオン／オフキー、５１６は電動フェーダであり、上記割当チャンネルストリップ部４２内の構成要素５０２〜５０６と同様の機能を有する。換言すれば、割当チャンネルストリップ部４２内のノブ５０１に対応するものが入力チャンネルストリップ部３１〜３４には設けられていないことになる。従って、ある入力チャンネルに対してノブ５０１によって調整可能なパラメータを調整するためには、グループ選択操作部４６において該入力チャンネルの属するグループを選択し、割当チャンネルストリップ部４２に当該グループの状態を反映させるとよい。
【００２６】
2．表示画面の例
2．1．リコールセーフ設定ウィンドウ２００
次に、タッチパネル２のディスプレイにおける各種表示画面の例を説明する。これらの画面は、タッチパネル２におけるユーザの画面選択操作に応じて、表示されるものである。
まず、図７に、リコールセーフ機能を設定するためのリコールセーフ設定ウィンドウ２００の表示例を示す。図７において２１１〜２１６は入力チャンネル表示部、２１９はステレオ出力チャンネル表示部、２１７，２１８はＭＩＸ出力チャンネル表示部であり、各々が上述したグループに対応する。そして、各表示部内部には、対応するグループに属するチャンネルの数（「８」または「２」）だけ、長尺長方形と傾斜した正方形とから成るチャンネル画像２２０が表示されている。ここで、上述したグループ選択操作部４６と同様に、各入力チャンネル表示部２１１〜２１６およびステレオ出力チャンネル表示部２１９は、操作パネル３０内において対応するチャンネルストリップ部の配置関係と同様に配置されている。すなわち、入力チャンネル表示部２１１〜２１６は各々図４における入力チャンネルストリップ部３１〜３６に対応するとともに、これら入力チャンネルストリップ部３１〜３６と同様の位置関係で配置され、図４においてステレオ出力チャンネルストリップ部３７は入力チャンネルストリップ部３５の左側に設けられているから、対応するステレオ出力チャンネル表示部２１９も入力チャンネル表示部２１５の左側に設けられている。
【００２７】
一方、ＭＩＸ出力チャンネルに係るグループについては、操作パネル３０上には専用のチャンネルストリップ部が設けられていないため、これらＭＩＸ出力チャンネルのグループについては、リコールセーフ設定ウィンドウ２００のほぼ中央部分（中央セクション３０ｂの割当チャンネルストリップ部４２に対応する位置）に集中して、対応するＭＩＸ出力チャンネル表示部２１７，２１８が縦方向に配置されている。２０２はカーソルであり、リコールセーフ機能を設定しようとする設定対象チャンネルのチャンネル画像２２０の位置に表示される。ここで、ユーザは、設定対象チャンネルのリコールセーフがオン状態に設定された場合に、リコール操作によって当該チャンネルの全パラメータのリコールを禁止するのか、一部のパラメータ群についてのみリコールを禁止するのかを選択することができる。各チャンネルの各パラメータ群について行われる、リコール操作による更新を禁止するか否かの設定を「パラメータセーフの設定」という。各チャンネル画像２２０においては、この設定状態が表示される。すなわち、リコールセーフがオン設定されていないチャンネルは「白抜き」、リコールセーフがオン設定されており、かつ、一部のパラメータ群についてパラメータセーフがオン設定されているチャンネルは「青色」（図上ではハッチング）、リコールセーフがオン設定されており、かつ、全パラメータ群についてパラメータセーフがオン設定されているチャンネルは「緑色」（図上では塗り潰し）によって表示される。
【００２８】
２３０はSET_BY_SELボタンであり、
(１)各チャンネルのリコールセーフのオン／オフ状態を対応するＳＥＬキーによって表示・設定するとともに、リコールセーフ機能の設定対象となるチャンネルを表示・設定するモード（SET_BY_SELモード）、または
(２)各チャンネルのリコールセーフのオン／オフ状態は後述するＳＡＦＥボタン２３２によって表示・設定し、ＳＥＬキーはリコールセーフ機能の設定対象となるチャンネルを表示・設定するだけのモード（通常モード）
のうち一方の動作モードを選択する。このSET_BY_SELボタン２３０は、SET_BY_SELモードが選択されている場合にはオン状態になる（点灯される）。ここで、SET_BY_SELモードが選択されている場合は、操作パネル３０上のＳＥＬキーのうちリコールセーフがオン状態のチャンネルに対応するチャンネルストリップのＳＥＬキーが点灯し、その他のＳＥＬキーは消灯する。すなわち、各チャンネルストリップのＳＥＬキーの点灯／消灯状態により、対応するチャンネルのリコールセーフのオン／オフ状態を確認することができる。一方、通常モードが選択されている場合、後述する選択チャンネルＳＣとして指定されているチャンネルに対応するチャンネルストリップのＳＥＬキーのみが点灯し、その他ＳＥＬキーは消灯する。
【００２９】
２３１はチャンネル番号表示部であり、リコールセーフ機能を設定しようとする設定対象チャンネルの番号を表示する。２３２はＳＡＦＥボタンであり、該設定対象チャンネルに対してリコールセーフのオン／オフ状態を点灯／消灯によって表示する。２３４はクローズ・ボタンであり、押下されるとリコールセーフ設定ウィンドウ２００が閉じられる。ここで、２４１はＡＬＬボタンであり、全パラメータ群に対するパラメータセーフをオン状態に設定するとともに、全パラメータ群がオン状態である場合には点灯する。また、ボタン２４２〜２４９は、各々個別のパラメータ群毎にパラメータセーフのオン／オフ状態を設定するものである。ここで、ＡＬＬボタン２４１とボタン２４２〜２４９とは同時に点灯しない。すなわち、全パラメータ群のパラメータセーフがオン状態になり、ＡＬＬボタン２４１が点灯する場合は、ボタン２４２〜２４９は全て消灯する。
【００３０】
ここで、ＨＡボタン２４２はアッテネータ部７１（図３参照）、ＥＱボタン２４３はイコライザ部７２、Ｄｙｎａ１ボタン２４４は第１ダイナミックス調整部７３、Ｄｙｎａ２ボタン２４５は第２ダイナミックス調整部７４、ＭＩＸオン・ボタン２４６はセンドオンオフ切換部８４−１〜８４−１６、ＭＩＸセンド・ボタン２４７は信号切換部８０−１〜８０−１６およびセンドレベル調節部８２−１〜８２−１６、フェーダ・ボタン２４８は音量調整部７５、チャンネルオン・ボタン２４９はオンオフ切換部７６に各々対応し、対応するブロック内のパラメータ群毎にパラメータセーフのオン／オフ状態を設定するとともに、パラメータセーフがオン状態である場合には点灯する。なお、ボタン２４２〜２４９に対応するパラメータ群に対して、パラメータ群識別番号「１」〜「８」が付与されていることとする。また、図中のボタン２４５〜２４７，２４９に付与されたハッチングは、それらのボタンがオン状態にあることを示している。
【００３１】
ＲＡＭ２２の所定領域においては、ウィンドウ２００における設定状態を記憶するために、以下のようなフラグが記憶されている。
(１)リコールセーフ・フラグＳＥＦ（ｉ）：これは、全ての入出力チャンネルのチャンネル番号ｉに対して、リコールセーフのオン（“１”）またはオフ（“０”）状態を示すフラグである。
(２)パラメータセーフ・フラグＳＰＦ（ｉ，ｊ）：これは、チャンネル番号ｉのパラメータ群のうち識別番号がｊであるパラメータ群に対して、パラメータセーフのオン（“１”）またはオフ（“０”）状態を示すフラグである。
【００３２】
2．2．ミュートグループ設定ウィンドウ３００
次に、図８に、ミュートグループを設定するためのミュートグループ設定ウィンドウ３００の表示例を示す。図８において３１１〜３１６は入力チャンネル表示部、３１９はステレオ出力チャンネル表示部、３１７，３１８はＭＩＸ出力チャンネル表示部であり、上述したリコールセーフ設定ウィンドウ２００内の各チャンネル表示部２１１〜２１９と同様に構成されており、これらの内部にはチャンネル画像２２０と同形状のチャンネル画像３２０が表示されている。３４１〜３４８は第１〜第８ミュート設定ボタンであり、各チャンネル表示部３１１〜３１９における表示・設定対象となるミュートグループとして、第１〜第８ミュートグループのうち何れかを選択するものである。選択されたミュートグループに係るボタンは点灯表示される（図上ではハッチングで示す）。３４９はミュートセーフボタンであり、各チャンネル表示部３１１〜３１９においてミュートセーフグループの表示・設定を行うためのものである。ミュートセーフグループに含まれるチャンネルは、たとえ何れかのミュートグループに含まれていたとしても、ミュート操作部４９の操作によってはミュートされないチャンネルである。
【００３３】
ユーザは、ミュートグループまたはミュートセーフグループの状態を表示・設定しようとするときは、最初に対応する第１〜第８ミュート設定ボタン３４１〜３４８またはミュートセーフボタン３４９を押下することになる。これらのボタンは、最後に押下されたもののみが点灯状態になり、当該グループに各チャンネル表示部３１１〜３１９においては、当該グループに属するチャンネルが点灯状態になる。さらに、各チャンネルストリップ部３１〜３７においては、当該グループに属するチャンネルのＳＥＬキーは点灯状態、属さないチャンネルのＳＥＬキーは消灯状態になる。ここで、あるチャンネルについて「当該グループに属するか否か」を変更する場合には、当該チャンネルのＳＥＬキーを押下するとよい。これによって、当該チャンネルが「当該グループに属するか否か」の情報が反転するとともに、対応するＳＥＬキーおよびチャンネル画像３２０の点灯・消灯状態も反転されることになる。
【００３４】
ここで、第１〜第８ミュートグループに対してｋ＝１〜８のミュートグループ番号ｋが付与されているとする。ＲＡＭ２２の所定領域においては、ウィンドウ３００における設定状態を記憶するために、全ての入出力チャンネルのチャンネル番号ｉと、全てのミュートグループ番号ｋとの組み合わせに対して、ミュートフラグＭＴＦ（ｉ，ｋ）なるフラグが記憶されている。さらに、全てのチャンネルｉに対してミュートセーフ・フラグＭＴＳ（ｉ）なるフラグが記憶されている。ミュートフラグＭＴＦ（ｉ，ｋ）は、この値が“１”である場合は、ミュート操作部４９において第ｋミュートボタンが押下されたときに、チャンネルｉがミュートセーフグループに属していないことを条件として、チャンネルｉの音声信号をミュートすることを示す。また、ミュートセーフ・フラグＭＴＳ（ｉ）は、この値が“１”であるとき、チャンネルｉが上記ミュートセーフグループに属していることを示す。
【００３５】
3．実施例の動作
3．1．ウィンドウ２００に対するＳＥＬキー操作イベント
次に、本実施例の動作について説明する。
まず、タッチパネル２にリコールセーフ設定ウィンドウ２００が表示されている場合に、何れかのチャンネルストリップにおいてＳＥＬキー５０２，５１２（図６参照）が押下されると、図９(a)に示すＳＥＬキー操作イベントルーチンが起動される。図において処理がステップＳＰ２に進むと、選択チャンネルＳＣの番号が、押下されたＳＥＬキーに係るチャンネル番号ｉに設定される。次に、処理がステップＳＰ４に進むと、各チャンネル表示部２１１〜２１９において、カーソル２０２が選択チャンネルＳＣの位置に移動され、チャンネル番号表示部２３１の表示が選択チャンネル番号ＳＣに変更され、さらにＳＡＦＥボタン２３２、およびボタン２４１〜２４９の点灯・消灯状態は、現在の選択チャンネル番号ＳＣの設定状態に応じた状態に変更される。
【００３６】
次に、処理がステップＳＰ６に進むと、動作モードがSET_BY_SELモードであるか否かが判定される。ここで「ＮＯ」と判定されると、処理はステップＳＰ８に進み、ＳＥＬキー５０２，５１２のうち選択チャンネルＳＣに係るもののみが点灯され、他のＳＥＬキーは消灯される。これにより、操作されたＳＥＬキーに対応するチャンネルが選択チャンネルＳＣとして設定されたので、ユーザは、続けてＳＡＦＥボタン２３２を操作することによって、当該チャンネルのリコールセーフのオン／オフ状態を設定できるとともに、ボタン２４１〜２４９を操作することによって、当該チャンネルのパラメータ毎のパラメータセーフのオン／オフ状態を任意に設定することができる。
【００３７】
一方、ステップＳＰ６において「ＹＥＳ」と判定されると、処理はステップＳＰ１０に進み、リコールセーフ・フラグＳＥＦ（ＳＣ）が反転される。次に、処理がステップＳＰ１１に進むと、変更後のフラグＳＥＦ（ＳＣ）のオン／オフ状態に応じて、選択チャンネルＳＣに係るＳＥＬキーの点灯・消灯状態が制御され、結果的に、当該ＳＥＬキーの点灯・消灯状態が反転される。すなわち、SET_BY_SELモードにおいては、各ＳＥＬキーは、選択チャンネル番号ＳＣを指定するのみならず、リコールセーフのオン／オフ状態も切り替えるキーとして機能することになる。そして、リコールセーフがオン状態であるチャンネルのＳＥＬキーが点灯し、オフ状態のＳＥＬキーが消灯されるため、何れかのＳＥＬキーが押下されたのであれば、その点灯・消灯状態もリコールセーフのオン／オフ状態に応じて変更されるのである。次に、処理がステップＳＰ１２に進むと、変更後のフラグＳＥＦ（ＳＣ）の状態に応じて、ウィンドウ２００内のＳＡＦＥボタン２３２の点灯・消灯状態も反転される。次に、処理がステップＳＰ１４に進むと、カーソル２０２位置（選択チャンネル番号ＳＣに対応）におけるチャンネル画像２２０の表示色が変更される。すなわち、ＳＥＬキーが押下される前に「白抜き」であったのであればパラメータセーフの状態に応じて「青色」または「緑色」に変更され、ＳＥＬキーが押下される前に「青色」または「緑色」であったのであれば「白抜き」に変更される。
【００３８】
3．2．ＡＬＬボタン２４１の操作イベント
次に、リコールセーフ設定ウィンドウ２００においてＡＬＬボタン２４１が押下された場合の処理を図９(b)を参照し説明する。図において処理がステップＳＰ２２に進むと、全てのパラメータ群ｊ（ｊ＝１〜８）に対して、パラメータセーフ・フラグＳＰＦ（ＳＣ，ｊ）が“１”（オン状態）に設定される。次に、処理がステップＳＰ２４に進むと、ＡＬＬボタン２４１が点灯され、ボタン２４２〜２４９が消灯状態にされる。
【００３９】
3．3．ボタン２４２〜２４９の操作イベント
次に、ウィンドウ２００においてボタン２４２〜２４９の何れかが押下された場合の処理を図９(c)を参照し説明する。図において処理がステップＳＰ３２に進むと、パラメータセーフ・フラグＳＰＦ（ＳＣ，ｊ）の値が反転する。例えば、ＥＱボタン２４３が押下されたのであれば、対応するパラメータ群の識別番号ｊは「２」であるから、フラグＳＰＦ（ＳＣ，２）が反転することになる。次に、処理がステップＳＰ３４に進むと、全てのパラメータ群ｊ（ｊ＝１〜８）について、パラメータセーフ・フラグＳＰＦ（ＳＣ，ｊ）が“１”であるか否かが判定される。ここで「ＮＯ」と判定されると処理はステップＳＰ３６に進み、ＡＬＬボタン２４１が消灯され、パラメータセーフ・フラグＳＰＦ（ＳＣ，ｊ）が“１”であるボタンが点灯されるとともに“０”であるボタンが消灯される。一方、ステップＳＰ３８において「ＹＥＳ」と判定されると、処理はステップＳＰ３８に進み、ＡＬＬボタン２４１が点灯され、ボタン２４２〜２４９の全てが消灯される。従って、ユーザがボタン２４２〜２４９を押下してゆくことにより、これらボタン２４２〜２４９に係るパラメータセーフを全てオン状態にすると、これらボタン２４２〜２４９が直ちに消灯され、ＡＬＬボタン２４１が点灯されることになる。また、選択チャンネルＳＣのチャンネル画像２２０の表示色については、フラグＳＥＦ（ＳＣ）が“１”の場合、ステップＳＰ３６では「青色」に更新され、ステップＳＰ３８では「緑色」に更新される。
【００４０】
3．4．シーンリコールイベント
次に、シーンリコールイベントが生じた場合、すなわちシーン操作部４４においてリコールボタン４４−４が押下された場合の処理を図１０を参照し説明する。図において処理がステップＳＰ５０に進むと、指定されたシーンデータがＲＡＭ２２内に確保されたワーク領域にコピーされる。次に、処理がステップＳＰ５２に進むと、ＲＡＭ２２のカレント領域に記憶されているカレントデータを信号処理部８に対して反映することが禁止される。すなわち、信号処理部８においては、禁止前のカレント領域内のパラメータに基づいて音声信号処理等が続行されることになる。次に、処理がステップＳＰ５４に進むと、ワーク領域内のパラメータ群の中から、未だ当該ステップＳＰ５４において選択対象にされていないパラメータ群が選択される。次に、処理がステップＳＰ５６に進むと、該パラメータ群に係るチャンネルｉのリコールセーフ・フラグＳＥＦ（ｉ）と、該チャンネルｉおよび該パラメータ群ｊに係るパラメータセーフ・フラグＳＰＦ（ｉ，ｊ）とに基づいて、当該パラメータ群がリコール対象であるか否かが判定される。
【００４１】
すなわち、リコールセーフ・フラグＳＥＦ（ｉ）が“０”であれば、パラメータセーフ・フラグＳＰＦ（ｉ，ｊ）の値にかかわらず、当該パラメータ群はリコール対象である。一方、リコールセーフ・フラグＳＥＦ（ｉ）が“１”であれば、パラメータセーフ・フラグＳＰＦ（ｉ，ｊ）が“０”である場合に限り、当該パラメータ群はリコール対象である。ステップＳＰ５６において「ＹＥＳ」と判定されると、処理はステップＳＰ５８に進み、ワーク領域内に記憶された当該パラメータ群がカレント領域にコピーされる。一方、ステップＳＰ５６において「ＮＯ」と判定されると、ステップＳＰ５８はスキップされるため、当該パラメータ群はカレント領域にはコピーされない。なお、カレントデータにはリコールセーフの設定対象外のパラメータ群が含まれている場合があるが、かかるパラメータ群に関しては、、ステップＳＰ５６において必ず「ＹＥＳ」と判定されるようにするばよい。次に、処理がステップＳＰ６０に進むと、全てのパラメータ群に対して上記ステップＳＰ５４〜ＳＰ５８の処理が終了したか否かが判定される。ここで「ＮＯ」と判定されると、処理はステップＳＰ５４に戻り、上述したステップＳＰ５４〜ＳＰ５８の処理が繰り返される。そして、全パラメータ群に対して上記処理が終了すると、処理がステップＳＰ６２に進み、カレント領域に記憶されているカレントデータを信号処理部８に対して反映する処理が再開される。
【００４２】
3．5．ウィンドウ３００に対するＳＥＬキー操作イベント
次に、タッチパネル２にミュートグループ設定ウィンドウ３００が表示され、ミュートグループ番号ｋに係るミュート設定ボタン３４１〜３４８が点灯している場合に、何れかのチャンネルストリップにおいてＳＥＬキー５０２，５１２（図６参照）が押下されると、図１１(a)に示すＳＥＬキー操作イベントルーチンが起動される。図において処理がステップＳＰ７０に進むと、選択チャンネル番号ＳＣの値が、押下されたＳＥＬキーに係るチャンネル番号ｉに設定される。次に、処理がステップＳＰ７２に進むと、ミュートフラグＭＴＦ（ＳＣ，ｋ）の値が反転される。次に、処理がステップＳＰ７４に進むと、選択チャンネルＳＣに係るＳＥＬキーの点灯・消灯状態が反転される。すなわち、ウィンドウ３００においては、各ＳＥＬキーは、ミュートグループｋに当該チャンネルを属させるか否かを切り替えるキーとして機能することになる。そして、ミュートグループｋに属するチャンネルのＳＥＬキーが点灯し、属さないチャンネルのＥＬキーが消灯されるため、何れかのＳＥＬキーが押下されたのであれば、その点灯・消灯状態もミュートフラグＭＴＦ（ＳＣ，ｋ）に応じて変更されるのである。次に、処理がステップＳＰ７６に進むと、変更後の状態に応じて、ウィンドウ３００内のチャンネル画像３２０の表示色が変更される。すなわち、ＳＥＬキーが押下される前に「白抜き」（ミュートグループｋに属さない）であったのであれば「赤色」（ミュートグループｋに属する）に変更され、ＳＥＬキーが押下される前に「赤色」であったのであれば「白抜き」に変更される。
【００４３】
3．6．ミュート操作部４９における操作イベント
次に、ミュート操作部４９において第ｋミュートボタンが押下された場合の処理を図１１(b)を参照し説明する。図１１(b)において処理がステップＳＰ８０に進むと、全ての入出力チャンネルの中から未だ当該ステップＳＰ８０において選択対象にされていない一のチャンネルｉが選択される。次に、処理がステップＳＰ８２に進むと、該チャンネルｉがミュート対象であるか否かが判定される。すなわち、ミュートフラグＭＴＦ（ｉ，ｋ）が“１”であってミュートセーフ・フラグＭＴＳ（ｉ）が“０”であれば、該チャンネルｉはミュート対象である。ここで「ＹＥＳ」と判定されると、処理はステップＳＰ８４に進み、チャンネルｉのミュートが開始される。すなわち、ゲインが最低値になるまで、この時点からチャンネルｉの音量調整部７５におけるゲインが徐々に減少される。また、チャンネルｉが操作パネル３０上の何れかのチャンネルストリップに割り当てられている場合には、該チャンネルストリップ上の電動フェーダも、ゲインの最低値に対応する操作位置まで駆動される。一方、ステップＳＰ８２において「ＮＯ」と判定されると、ステップＳＰ８４はスキップされるため、チャンネルｉのゲインは変更されない。次に、処理がステップＳＰ６６に進むと、全てのチャンネルｉに対して上記ステップＳＰ８０〜ＳＰ８４の処理が終了したか否かが判定される。ここで「ＮＯ」と判定されると、処理はステップＳＰ８０に戻り、上述したステップＳＰ８０〜ＳＰ８６の処理が繰り返される。そして、全チャンネルｉに対して上記処理が終了すると、本ルーチンの処理が終了する。
【００４４】
4．実施例の効果
以上のように、本実施例によれば、タッチパネル２にリコールセーフ設定ウィンドウ２００が表示されSET_BY_SELモードが選択されている場合、あるいはミュートグループ設定ウィンドウ３００等が表示されている場合において、各チャンネルに関係するパラメータのオン／オフ状態を各チャンネルストリップに設けられたＳＥＬキーによって切り替えることができるとともに、ＳＥＬキーの点灯・消灯状態に応じて現在のパラメータのオン／オフ状態等を表示することができる。さらに、各ウィンドウ２００，３００に表示されるチャンネル表示部２１１〜２１９、チャンネル表示部３１１〜３１９によれば、実際に操作パネル３０全体を見渡すことなく、タッチパネル２を見るだけで全体のチャンネルに対するパラメータの設定状態を一覧することができる。特に、ウィンドウ２００，３００には、割当チャンネルストリップ部４２上に選択的に反映することしかできないＭＩＸ出力チャンネルの状態についても、画面中央に縦方向にＭＩＸ出力チャンネル表示部２１７，２１８（またはＭＩＸ３１７，３１８）を配置したため、チャンネルストリップ上に反映されているか否かにかかわらず、全てのチャンネルの設定状態を一覧することが可能である。
【００４５】
ここで、チャンネルストリップ上の操作において図６(a)，(b)に示すＣＵＥキー５０３，５１３、オン／オフキー５０５，５１５、電動フェーダ５０６，５１６等ではなくＳＥＬキー５０２，５１２を用いた理由について説明しておく。ＣＵＥキー５０３，５１３、オン／オフキー５０５，５１５、電動フェーダ５０６，５１６は、これらを操作することによって、直ちに音声信号に影響を与えるパラメータが変更され、これによって音声信号に変化を与えるものである。従って、実際に音声信号に変化を与える必要が生じたときに直ちに操作できるようにしておくことが望ましい。例えば、上記実施例においてＳＥＬキーに代えてオン／オフキーを用いてリコールセーフ機能の設定やミュートグループの設定を行うことは技術的には可能である。しかし、かかる設定を行っている途中でオン／オフキーの本来の機能を使用する必要が生じた場合（例えば、あるチャンネルがオフ状態であるときに直ちにこのチャンネルをオン状態に変更しようとするとき）に、迅速に対応することが困難になるという問題が生じる。
【００４６】
一方、ＳＥＬキーは、本来の用途に使用されているときであっても、これらを操作することによって直ちに音声信号に影響を与えるパラメータが変更されるわけではなく、パラメータ操作部４０、タッチパネル２等においてＳＥＬキーに係る選択チャンネルの状態が反映されるため、パラメータ操作部４０、タッチパネル２等を操作することによって初めて音声信号に影響を与えるパラメータが変更されるのである。このようなパラメータは、変更する必要性が生じた場合であっても、オン／オフキーや電動フェーダに係るパラメータを変更すべき場合と比較して、その緊急度が低い場合が多い。従って、実際にパラメータを設定可能な状態にデジタルミキサを戻すまでに多少の時間がかかったとしても、支障を来たさない場合が多いのである。
【００４７】
また、ユーザによる誤操作が生じたときに、その影響がきわめて小さいという特徴がある。例えば、ユーザが「現在、タッチパネル２にミュートグループ設定ウィンドウ３００を表示し、ＳＥＬキーを用いてミュートグループを設定している」と認識していたとしても、実際には既にウィンドウ３００は閉じられており、ＳＥＬキーの機能が本来の機能に戻っていることも考えられる。かかる場合にユーザがＳＥＬキーを誤って押下したとしても、単にパラメータ操作部４０、タッチパネル２等の状態が変更されるだけであって、音声信号に特に影響が及ぶわけではない。一方、ＳＥＬキーに代えて例えばオン／オフキーが用いられていたとすると、ユーザが誤ってオン／オフキーを押下することによって、当該チャンネルの音声が急に途切れるという重大な事故が発生する。本実施例では「当該操作子単独の操作によっては音声信号に影響を与えない操作子」であるＳＥＬキーを使用することにより、誤操作による影響をきわめて小さいものにすることができるのである。
【００４８】
また、本実施例においては、デジタルミキサの操作パネル３０よりも充分に小さいサイズ（例えば「１／１０」以下）の表示器（タッチパネル２）に、操作パネル３０上の各チャンネルストリップ部の配置に対応して、パラメータのオン／オフ状態を示すチャンネル画像２２０（パネルのミニチュア画像）を表示している。その表示状態は、操作パネル３０上の各チャンネルストリップ内の各チャンネルのＳＥＬキーの点灯／消灯状態と相似である。従って、ユーザは、ミニチュア画像により、該パラメータのデジタルミキサ全体にわたるオン／オフ状態を確認し、そこで変更したいチャンネルを特定して、操作パネル３０上の対応するチャンネルストリップ部を見ることにより、そのチャンネルストリップ部内の目的のチャンネルストリップを素早く見つけ出すことができ、そのオン／オフ状態を変更することができる。
【００４９】
5．変形例
本発明は上述した実施例に限定されるものではなく、例えば以下のように種々の変形が可能である。
(1)上記実施例においては、ＣＰＵ１８上で動作する各種プログラムによって各種処理を実行したが、これらのプログラムのみをＣＤ−ＲＯＭ、フレキシブルディスク等の記録媒体に格納して頒布し、あるいは伝送路を通じて頒布することもできる。
(2)上記実施例においては、「当該操作子単独の操作によっては音声信号に影響を与えない間接制御操作子」の一例としてＳＥＬキーを使用した例を説明したが、かかる操作子がＳＥＬキー以外にも存在する場合には、その操作子をＳＥＬキーに代えて用いるようにしてもよい。
(3)また、本発明は、操作パネル上の全チャンネルストリップ部が固定チャンネルストリップ部であるようなデジタルミキサやアナログミキサに適用してもよいことは言うまでもない。
【図面の簡単な説明】
【００５０】
【図１】本発明の一実施例のデジタルミキサのブロック図である。
【図２】デジタルミキサのアルゴリズムのブロック図である。
【図３】入力チャンネル調整部５５におけるアルゴリズム構成の詳細ブロック図である。
【図４】デジタルミキサの操作パネル３０の平面図である。
【図５】シーン操作部４４およびグループ選択操作部４６の平面図である。
【図６】割当チャンネルストリップ部４２および入力チャンネルストリップ部３１〜３４の平面図である。
【図７】リコールセーフ設定ウィンドウ２００の表示例を示す図である。
【図８】ミュートグループ設定ウィンドウ３００の表示例を示す図である。
【図９】リコールセーフ設定ウィンドウ２００に関連する各種イベント処理ルーチンのフローチャートである。
【図１０】シーンリコールイベント処理ルーチンのフローチャートである。
【図１１】ミュートグループ設定ウィンドウ３００に関連する各種イベント処理ルーチンのフローチャートである。
【符号の説明】
【００５１】
２：タッチパネル（ディスプレイ）、４：表示器・操作子群、６：電動フェーダ群、８：信号処理部（信号処理手段）、１０：波形Ｉ／Ｏ部、１２：バスライン、１４：コンピュータＩ／Ｏ部、１６：その他Ｉ／Ｏ部、１８：ＣＰＵ（処理装置）、２０：フラッシュメモリ、２２：ＲＡＭ（記憶手段）、３０：操作パネル、３０ａ：左セクション、３０ｂ：中央セクション、３０ｃ：右セクション、３１〜３６：入力チャンネルストリップ部、３７：ステレオ出力チャンネルストリップ部、３８：レベルメータ部、４０：パラメータ操作部、４２：割当チャンネルストリップ部、４４：シーン操作部、４４−１：ストアボタン、４４−２，３：アップダウンボタン、４４−４：リコールボタン、４４−５：シーン番号表示部、４６：グループ選択操作部、４６−１〜４６−６：入力チャンネル選択キー、４６−７，４６−８：ＭＩＸ出力チャンネル選択キー、４６−９：ステレオ出力チャンネル選択キー、４７，４８：ブックマークスイッチ、４９：ミュート操作部、５１：アナログ入力部、５２：デジタル入力部、５４：入力パッチ部、５５：入力チャンネル調整部、５５−ｉ：第ｉ入力チャンネル調整部、５６：ステレオ出力バス、５８：ＭＩＸバス群、６０：ステレオ出力チャンネル部、６２：ＭＩＸ出力チャンネル部、６４：出力パッチ部、６６：アナログ出力部、６８：デジタル出力部、７１：アッテネータ部、７２：イコライザ部、７３：第１ダイナミックス調整部、７４：第２ダイナミックス調整部、７５：音量調整部、７６：オンオフ切換部、７７：ステレオセンドオンオフ切換部、７８：ＰＡＮ設定部、８０−１〜８０−１６：信号切換部、８２−１〜８２−１６：センドレベル調節部、８４−１〜８４−１６：センドオンオフ切換部、２００：リコールセーフ設定ウィンドウ、２０２：カーソル、２１１〜２１６：入力チャンネル表示部、２１７，２１８：ＭＩＸ出力チャンネル表示部、２１９：ステレオ出力チャンネル表示部、２２０：チャンネル画像、２３０：SET_BY_SELボタン、２３１：チャンネル番号表示部、２３２：ＳＡＦＥボタン、２３４：クローズ・ボタン、２４１：ＡＬＬボタン、２４２：ＨＡボタン、２４３：ＥＱボタン、２４４：Ｄｙｎａ１ボタン、２４５：Ｄｙｎａ２ボタン、２４６：ＭＩＸオン・ボタン、２４７：ＭＩＸセンド・ボタン、２４８：フェーダ・ボタン、２４９：チャンネルオン・ボタン、３００：ミュートグループ設定ウィンドウ、３１１〜３１６：入力チャンネル表示部、３１７，３１８：ＭＩＸ出力チャンネル表示部、３１９：ステレオ出力チャンネル表示部、３２０：チャンネル画像、３４１〜３４８：第１〜第８ミュート設定ボタン、３４９：ミュートセーフボタン、５０１：ノブ、５０２，５１２：ＳＥＬキー、５０３：ＣＵＥキー、５０４：レベルメータ、５０５：オン／オフキー、５０６：電動フェーダ、５１３：ＣＵＥキー、５１４：レベルメータ、５１５：オン／オフキー、５１６：電動フェーダ。
【図１】
0004471119.tif 000002
【図２】
0004471119.tif 000003
【図３】
0004471119.tif 000004
【図４】
0004471119.tif 000005
【図５】
0004471119.tif 000006
【図６】
0004471119.tif 000007
【図７】
0004471119.tif 000008
【図８】
0004471119.tif 000009
【図９】
0004471119.tif 000010
【図１０】
0004471119.tif 000011
【図１１】
0004471119.tif 000012